(57)【特許請求の範囲】
【請求項１】
流し台のシンクに形成された厨芥受部と、該厨芥受部に連通する材料投入口と、該材料投入口を開閉自在に閉塞する閉塞手段と、前記厨芥受部に連通し前記閉塞手段にて前記材料投入口を閉塞した状態では前記シンクからの水を前記厨芥受部を介して排水する排水管と、前記材料投入口から投入された厨芥を受納する処理槽と、該処理槽の下部に形成された排水孔と前記排水管とをつなぎ、前記処理槽内の水を前記排水管へ排水する排水パイプと、前記処理槽内に収納され、厨芥を分解処理する微生物を培養する処理媒質と、前記処理槽内の厨芥と処理媒質を混合する混合手段とを備えたことを特徴とする厨芥処理装置。
【請求項２】
流し台のシンクに形成された厨芥受部と、該厨芥受部に連通する材料投入口と、該材料投入口を開閉自在に閉塞する閉塞手段と、前記厨芥受部に連通し前記閉塞手段にて前記材料投入口を閉塞した状態では前記シンクからの水を前記厨芥受部を介して排水する排水管と、前記材料投入口に投入された厨芥を粉砕する粉砕手段と、該粉砕手段から排出された厨芥を受納する処理槽と、該処理槽の下部に形成された排水孔と前記排水管とをつなぎ、前記処理槽内の水を前記排水管へ排水する排水パイプと、前記処理槽内に収納され、厨芥を分解処理する微生物を培養する処理媒質と、前記処理槽内の厨芥と処理媒質を混合する混合手段とを備えたことを特徴とする厨芥処理装置。
【請求項３】
流し台のシンクに形成された厨芥受部と、該厨芥受部に連通する材料投入口と、該材料投入口を開閉自在に閉塞する閉塞手段と、前記厨芥受部に連通し前記閉塞手段にて前記材料投入口を閉塞した状態では前記シンクからの水を前記厨芥受部を介して排水する排水管と、前記材料投入口に投入された厨芥を粉砕する粉砕手段と、該粉砕手段から排出された厨芥を受納する処理槽と、該処理槽の下部に形成された排水孔と前記排水管とをつなぎ、前記処理槽内の水を前記排水管へ排水する排水パイプと、前記処理槽内に収納され、厨芥を分解処理する微生物を培養する処理媒質と、前記処理槽内の厨芥と処理媒質を混合する混合手段と、前記粉砕手段を停止させた後に混合手段を作動させる制御回路とを備えたことを特徴とする厨芥処理装置。
【発明の詳細な説明】
【０００１】
【発明の属する技術分野】
本発明は、厨芥を処理する厨芥処理装置に関する。
【０００２】
【従来の技術】
従来、この種厨芥処理装置として、コンポスターが広く使用されている。コンポスターは、筒状体と筒状体の上面開口を被う蓋とから構成され、筒状体を地表に載置し、上面開口から筒状体内に厨芥を投入して堆肥化するものである。しかしながら、堆肥化の速度が遅く、処理能力に問題があった。
【０００３】
また、厨芥を粉砕して脱水し、それを自動的にゴミ袋などに投棄するものが例えば、特開平４−１５６９５９号公報（Ｂ０２Ｃ  ２１／００）にて提案されている。しかしながら、この方式においてはゴミ袋などに収納された厨芥を廃棄する必要があり、廃棄処理に手間がかかると共に、環境保全の観点からも問題となるものであった。
【０００４】
【発明が解決しようとする課題】
本発明は、上記欠点に鑑みなされたもので、短期間に厨芥を分解処理し得る厨芥処理装置を提供することを課題とする。
【０００５】
【課題を解決するための手段】
本発明の第１の手段は、流し台のシンクに形成された厨芥受部と、該厨芥受部に連通する材料投入口と、該材料投入口を開閉自在に閉塞する閉塞手段と、前記厨芥受部に連通し前記閉塞手段にて前記材料投入口を閉塞した状態では前記シンクからの水を前記厨芥受部を介して排水する排水管と、前記材料投入口から投入された厨芥を受納する処理槽と、該処理槽の下部に形成された排水孔と前記排水管とをつなぎ、前記処理槽内の水を前記排水管へ排水する排水パイプと、前記処理槽内に収納され、厨芥を分解処理する微生物を培養する処理媒質と、前記処理槽内の厨芥と処理媒質を混合する混合手段とを備えたことを特徴とする。
【０００６】
本発明の第２の手段は、流し台のシンクに形成された厨芥受部と、該厨芥受部に連通する材料投入口と、該材料投入口を開閉自在に閉塞する閉塞手段と、前記厨芥受部に連通し前記閉塞手段にて前記材料投入口を閉塞した状態では前記シンクからの水を前記厨芥受部を介して排水する排水管と、前記材料投入口に投入された厨芥を粉砕する粉砕手段と、該粉砕手段から排出された厨芥を受納する処理槽と、該処理槽の下部に形成された排水孔と前記排水管とをつなぎ、前記処理槽内の水を前記排水管へ排水する排水パイプと、前記処理槽内に収納され、厨芥を分解処理する微生物を培養する処理媒質と、前記処理槽内の厨芥と処理媒質を混合する混合手段とを備えたことを特徴とする。
【０００７】
本発明の第３の手段は、流し台のシンクに形成された厨芥受部と、該厨芥受部に連通する材料投入口と、該材料投入口を開閉自在に閉塞する閉塞手段と、前記厨芥受部に連通し前記閉塞手段にて前記材料投入口を閉塞した状態では前記シンクからの水を前記厨芥受部を介して排水する排水管と、前記材料投入口に投入された厨芥を粉砕する粉砕手段と、該粉砕手段から排出された厨芥を受納する処理槽と、該処理槽の下部に形成された排水孔と前記排水管とをつなぎ、前記処理槽内の水を前記排水管へ排水する排水パイプと、前記処理槽内に収納され、厨芥を分解処理する微生物を培養する処理媒質と、前記処理槽内の厨芥と処理媒質を混合する混合手段と、前記粉砕手段を停止させた後に混合手段を作動させる制御回路とを備えたことを特徴とする。
【０００８】
【発明の実施の形態】
本発明の一実施の形態を図１乃至図３に基づいて詳述する。
１は流し台、２はシンクで、底部に水切篭３を着脱自在に収納する厨芥受部４を有している。前記厨芥受部４底面には排水管５が接続されると共に、水切篭３及び厨芥受部４底面には後述する粉砕機８の材料投入口１１に連通する開口を形成している。６は前記水切篭３及び厨芥受部４底面の開口を介して後述する粉砕機８の材料投入口１１に挿入される材料押圧棒で、炊事の際に、材料押圧棒６にて水切篭３の開口を閉成し、シンク２からの水が粉砕機８の材料投入口１１に流れるのを防止するようになっており、中央部に通気孔７を形成している。
【０００９】
８は前記流し台１の下部空間に収納され、支持台９により支持される粉砕機で、移送筒１０の材料投入口１１を前記厨芥受部４の開口に接続すると共に、先端に固定歯１２を装着している。１３は前記移送筒１０内に配設され、電動機１４により回転駆動される螺旋体で、先端に回転歯１５を有しており、材料投入口１１から供給された厨芥を螺旋体１３の回転により先端に移送し、回転歯１５と固定歯１２とにより粉砕するようになっている。１６は前記移送筒１０先端に設けられたガイド体で、このガイド体１６により粉砕機８から排出された厨芥を効率よく後述する処理媒質２７に混合するようになっている。
【００１０】
１７は一対の支持台９に支持される処理槽で、合成樹脂、ステンレス等の耐食性材料にて形成されており、処理槽１７の一側を軸支する支持台９を移送筒１０の先端が貫通し、この支持台９にて処理槽１７の一側と粉砕機８の移送筒１０を支持している。１８は前記処理槽１７の下部に形成した排水孔で、排水パイプ１９を介して排水管５に接続し、処理槽１７内の水を排水管５に排水するようになっており、排水孔１８には、処理槽１７内に収納される後述の処理媒質２７が漏れるのを防止するフィルタが配設されている。２０は前記処理槽１７上部に形成された排気孔で、排気パイプ２１を介して屋外に連通し、送風機２２の送風により処理槽１７内の空気を屋外へ排気し、材料押圧棒６の中央に形成した通気孔７及び粉砕機８を介して処理槽１７内に空気を供給して、後述する処理媒質２７に発生するカン菌及び球菌の活性化を図ると共に、処理槽１７内の悪臭を屋外へ排気するようになっている。
【００１１】
２３は前記処理槽１７内に配設された一対の撹拌翼で、合成樹脂、ステンレス等の耐食性材料から形成されており、一方の撹拌翼２３をチェーン２４を介して電動機２５に連結すると共に、撹拌翼２３間にチェーン２６を架設して電動機２５の駆動により撹拌翼２３を回転させ、処理槽１７内の処理媒質２７と厨芥を混合するようになっている。
【００１２】
前記処理槽１７内には、処理媒質２７が収納されている。処理媒質２７は、おが屑等の木質細片、もみがら、米糠、土等の微生物培養基材、本実施例では、特公平２  −３４６７９号公報（Ｃ０２Ｆ  １１／０２）「木質細片による汚泥の微生物処理方法」に示され  る微生物培養基材を使用している。この処理媒質２７に厨芥を投入して混合すると、カン菌、球菌が発生し、厨芥をカン菌が腐食させ、球菌が食べて水と炭酸ガスに分解して厨芥を消滅させる。
【００１３】
次に、回路を図３に基づいて説明する。２８は前記流し台１に配設した図示しない操作スイッチを有するスイッチ回路、２９は前記スイッチ回路２８からの信号を入力する制御回路で、粉砕機駆動部３０を介して粉砕機８駆動用電動機１３を、撹拌翼駆動部３１を介して撹拌翼２３駆動用電動機２５を、送風機駆動部３２を介して送風機２２を制御するようになっている。
【００１４】
而して、炊事時には、材料押圧棒６を粉砕機８の材料投入口１１に挿入して水切篭３の開口部を閉塞する。この状態では、シンク２からの水は水切篭３及び厨芥受部４を介して排水管５に排水される。
【００１５】
厨芥を処理する際には、材料押圧棒６を取り外し、図示しない操作スイッチを操作する。操作スイッチを操作すると、制御回路２９は粉砕機８駆動用電動機１４を駆動させ、材料投入口１１より粉砕機８内に入れられた厨芥を、螺旋体１３により移送筒１０先端へ移送し、固定歯１２と回転歯１５によって粉砕して処理槽３３の処理媒質２７中に排出する。
【００１６】
また、制御回路２９は、撹拌翼２３回転用電動機２５を、粉砕機８駆動用電動機１４と同時に駆動させ、粉砕機８から排出した厨芥を、撹拌翼２３の回転により処理媒質２７と混合させる。
【００１７】
材料投入口１１への厨芥の投入が終了し、図示しない操作スイッチが操作されると、制御回路２９は、操作スイッチ操作後、粉砕機８内の厨芥が処理槽１７へ排出されるのに十分な時間経過後に粉砕機８の電動機１４を停止させ、粉砕機８内に厨芥が残留して粉砕機８内で厨芥が腐敗するのを防止する。また、制御回路２９は、粉砕機８の電動機１４の運転停止から所定時間に撹拌翼２３回転用電動機２５の駆動を継続させ、粉砕機８から供給された厨芥を処理媒質２７と十分に混合させる。
【００１８】
制御回路２９は、粉砕機８回転用電動機１４が停止してから所定時間後に一定時間撹拌翼駆動部３１に撹拌翼２３を回転させる信号を出力して撹拌翼２３を一定時間回転させ、さらに撹拌翼２３の回転停止から所定時間後に再度撹拌翼２３を回転させる。これを繰り返すことにより、所定時間毎に厨芥が酸素に接触する。この厨芥を外気に接触させない状態と外気に接触させる状態とを繰り返すことにより、処理媒質２７に自然発生するカン菌と球菌により効率よく厨芥を水と炭酸ガスに分解し、消滅させる。また、処理槽１７に供給される厨芥は、粉砕機８にて粉砕されているので、処理効率を一層向上することができる。
【００１９】
また、制御回路２９は撹拌翼２３駆動用電動機２５の駆動と同時に送風機２２を駆動させ、撹拌翼２３駆動用電動機２５の停止から一定時間後に運転を停止させる。撹拌翼２３の回転時に送風機２２により処理媒質２７内に空気を供給するので、処理媒質２７への空気供給効率を向上させることができる。また、送風機２５の駆動用により、シンク２の厨芥受部４を介して処理槽１７内に空気を供給するので、処理媒質２７の撹拌によって発生する悪臭が厨芥受部４を介して厨房側へ漏れるのを防止することができる。さらに、撹拌翼２３の回転停止から一定時間送風機２２の運転を継続することにより、処理媒質２７の撹拌によって発生する悪臭を確実に屋外に排気することができ、悪臭の厨房側への漏れを防止することができる。
【００２０】
尚、本実施例では、混合手段として一対の撹拌翼２３を設けたが、螺旋状の撹拌翼を設けてもよく、また、処理層１７を回転させる構成としてもよい。また、粉砕手段８を、移送筒１０、螺旋体１３、固定歯１２、回転歯１５及び電動機１４にて構成したが、電動機と該電動機にて高速回転するカッターにて構成し、カッターの回転による遠心力にて処理層１７に排出するように構成してもよい。
【００２１】
【発明の効果】
以上の如く、本発明の各請求項の構成によれば、厨芥の分解処理効率を向上することができ、厨芥廃棄処理の手間を解消し、環境保全の向上を図ることができる等の効果を奏する。
【図面の簡単な説明】
【図１】本発明の一実施例の断面図である。
【図２】同他の方向から見た断面図である。
【図３】同回路図である。
【符号の説明】
１            流し台
２          シンク
４          厨芥受部
５          排水管
６          材料押圧棒（閉塞手段）
８                    粉砕機（粉砕手段）
１１                    材料投入口
１７                    処理槽
２２          送風機（換気手段）
２３                    撹拌翼（混合手段）
２７                    処理媒質
２９                    制御回路
【図１】
0003574076.tif 000002
【図２】
0003574076.tif 000003
【図３】
0003574076.tif 000004